(57)【要約】【課題】素材データ送出時に音声データの音声チャンネルを任意に変更できるようにする。【解決手段】ビデオサーバ１０１のＣＰＵ１１は、要求受付部１３において素材データの送出要求を受け付けると、この要求で指定される素材データを素材メモリ１７から取り出す。音声チャンネル変換部１６は、ＣＰＵ１１の制御の下、上記取り出された素材データの付加情報記録領域から出力チャンネル情報を読み出して、素材データに含まれる音声データを出力チャンネル情報によって指定される音声チャンネルの音声データに変換する。ＣＰＵ１１は、音声チャンネルが変換された音声データを送出要求のあった素材データの映像データと共に素材出力部１５により送出する。【選択図】      図１
2008199398.tif 000002
【特許請求の範囲】
【請求項１】
少なくとも映像データと共に任意の音声チャンネルの音声データが含まれ、付加情報記録領域に前記音声データの出力チャンネル情報が記録された素材データを収録する収録手段と、
前記素材データの送出要求に応じて、その素材データの付加情報記録領域から前記出力チャンネル情報を読み出して前記素材データに含まれる音声データを前記出力チャンネル情報によって指定される音声チャンネルの音声データに変換する変換手段と、
前記変換手段により変換された音声チャンネルの音声データを前記送出要求のあった素材データの映像データと共に送出する送出手段と
を具備することを特徴とするビデオサーバ。
【請求項２】
少なくとも映像データと共に任意の音声チャンネルの音声データが含まれる素材データを収録する収録手段と、
前記収録手段に収録される素材データそれぞれの音声データに対して指定される出力チャンネル情報を管理する管理手段と、
前記素材データの送出要求に応じて、前記管理手段からその素材データに対応する前記出力チャンネル情報を読み出して前記素材データに含まれる音声データを前記出力チャンネル情報によって指定される音声チャンネルの音声データに変換する変換手段と、
前記変換手段により変換された音声チャンネルの音声データを前記送出要求のあった素材データの映像データと共に送出する送出手段と
を具備することを特徴とするビデオサーバ。
【請求項３】
少なくとも映像データと共に任意の音声チャンネルの音声データが含まれ、付加情報記録領域に前記音声データの出力チャンネル情報が記録された素材データを収録し、
前記素材データの送出要求に応じて、その素材データの付加情報記録領域から前記出力チャンネル情報を読み出して前記素材データに含まれる音声データを前記出力チャンネル情報によって指定される音声チャンネルの音声データに変換し、
前記変換手段により変換された音声チャンネルの音声データを前記送出要求のあった素材データの映像データと共に送出することを特徴とするビデオサーバの音声出力方法。
【請求項４】
少なくとも映像データと共に任意の音声チャンネルの音声データが含まれる素材データを収録し、
前記収録手段に収録される素材データそれぞれの音声データに対して指定される出力チャンネル情報を管理し、
前記素材データの送出要求に応じて、前記管理手段からその素材データに対応する前記出力チャンネル情報を読み出して前記素材データに含まれる音声データを前記出力チャンネル情報によって指定される音声チャンネルの音声データに変換し、
前記変換手段により変換された音声チャンネルの音声データを前記送出要求のあった素材データの映像データと共に送出することを特徴とするビデオサーバの音声出力方法。
【発明の詳細な説明】
【技術分野】
【０００１】
この発明は、放送局等に設けられ、映像データと共に音声データを送出するビデオサーバとその音声出力方法に関する。
【背景技術】
【０００２】
従来のビデオサーバでは、音声データを出力時の音声チャンネルにして収録する必要があり、素材データの送出時に音声データの音声チャンネルを変更することができなかった。このため、素材データを送出する際の音声チャンネルが変更になった場合には、音声チャンネルが変更された音声データを生成し、生成された音声データを含む素材データを収録し直さなければならなかった。なお、関連する技術が下記特許文献１に開示される。
【特許文献１】特開平９−２４７６４７号公報
【発明の開示】
【発明が解決しようとする課題】
【０００３】
上述したように、従来のビデオサーバでは収録された素材データに含まれる音声データの音声チャンネルを変更することができなかった。このため、出力時の音声チャンネルを変更したい場合には、音声チャンネルを変換した音声データを生成し、収録しなおす必要があったため、手間と時間を要していた。
【０００４】
この発明は上記事情に着目してなされたもので、その目的とするところは、素材データの送出時に音声データの音声チャンネルを任意に変更することができるビデオサーバとその音声出力方法を提供することにある。
【課題を解決するための手段】
【０００５】
上記目的を達成するためにこの発明に係るビデオサーバの第１の構成は、少なくとも映像データと共に任意の音声チャンネルの音声データが含まれ、付加情報記録領域に前記音声データの出力チャンネル情報が記録された素材データを収録する収録手段と、前記素材データの送出要求に応じて、その素材データの付加情報記録領域から前記出力チャンネル情報を読み出して前記素材データに含まれる音声データを前記出力チャンネル情報によって指定される音声チャンネルの音声データに変換する変換手段と、前記変換手段により変換された音声チャンネルの音声データを前記送出要求のあった素材データの映像データと共に送出する送出手段とを具備することを特徴とする。
【０００６】
この発明に係るビデオサーバの第２の構成は、少なくとも映像データと共に任意の音声チャンネルの音声データが含まれる素材データを収録する収録手段と、前記収録手段に収録される素材データそれぞれの音声データに対して指定される出力チャンネル情報を管理する管理手段と、前記素材データの送出要求に応じて、前記管理手段からその素材データに対応する前記出力チャンネル情報を読み出して前記素材データに含まれる音声データを前記出力チャンネル情報によって指定される音声チャンネルの音声データに変換する変換手段と、前記変換手段により変換された音声チャンネルの音声データを前記送出要求のあった素材データの映像データと共に送出する送出手段とを具備することを特徴とする。
【０００７】
この発明に係るビデオサーバの音声出力方法の第１の手法は、少なくとも映像データと共に任意の音声チャンネルの音声データが含まれ、付加情報記録領域に前記音声データの出力チャンネル情報が記録された素材データを収録し、前記素材データの送出要求に応じて、その素材データの付加情報記録領域から前記出力チャンネル情報を読み出して前記素材データに含まれる音声データを前記出力チャンネル情報によって指定される音声チャンネルの音声データに変換し、前記変換手段により変換された音声チャンネルの音声データを前記送出要求のあった素材データの映像データと共に送出することを特徴とする。
【０００８】
この発明に係るビデオサーバの音声出力方法の第２の手法は、少なくとも映像データと共に任意の音声チャンネルの音声データが含まれる素材データを収録し、前記収録手段に収録される素材データそれぞれの音声データに対して指定される出力チャンネル情報を管理し、前記素材データの送出要求に応じて、前記管理手段からその素材データに対応する前記出力チャンネル情報を読み出して前記素材データに含まれる音声データを前記出力チャンネル情報によって指定される音声チャンネルの音声データに変換し、前記変換手段により変換された音声チャンネルの音声データを前記送出要求のあった素材データの映像データと共に送出することを特徴とする。
【０００９】
上記構成によるビデオサーバとその音声出力方法では、付加情報記録領域に音声データの出力チャンネル情報が記録された素材データを収録し、素材データの送出要求を受け付けると、この付加情報記録領域から出力チャンネル情報を読み出す。そして、素材データに含まれる音声データを上記読み出した出力チャンネル情報によって指定される音声チャンネルの音声データに変換し、変換された音声チャンネルの音声データを送出要求のあった素材データの映像データと共に送出する。このようにすることで、素材データに含まれる音声データの音声チャンネルを送出時に自由に変更することができるため、元の素材データをそのままの状態でビデオサーバに収録すればよく、素材データの収録に要する時間と手間を低減することが可能となる。
【発明の効果】
【００１０】
すなわち、この発明によれば、素材データ送出時に音声データの音声チャンネルを任意に変更することができるビデオサーバとその音声出力方法を提供することができる。
【発明を実施するための最良の形態】
【００１１】
以下、図面を参照しながら本発明の実施の形態を詳細に説明する。  
図１は、この発明に係るビデオサーバの一実施形態を示す機能ブロック図である。  
ビデオサーバ１０１は、マイクロプロセッサ等の中央ユニット（ＣＰＵ：Central Processing Unit）１１と、素材データ入力部１２と、要求受付部１３と、素材収録部１４と、素材出力部１５と、音声チャンネル変換部１６と、素材メモリ１７とを備える。
【００１２】
素材データ入力部１２は、ＣＰＵ１１制御の下で、素材サーバから供給される素材データを取り込む入力インタフェースである。要求受付部１３は、ＣＰＵ１１制御の下で、上位制御装置が指示する素材データの収録要求や送出要求を受け付ける。素材収録部１４は、上記素材データ入力部１２により取り込まれた素材データを素材メモリ１７に収録する機能を有する。
【００１３】
なお、素材サーバから供給される素材データには少なくとも映像データと音声データとが含まれる。この素材データには、さらにデータ放送用データや字幕データ等が素材データに含まれる場合もある。また、素材データの付加情報記録領域（例えば、アンシラリー領域）には、出力時の音声データの音声チャンネルを指定する出力チャンネル情報が予め挿入されている。また、本実施形態ではステレオ形式の音声データを含む素材データが供給されたものとする。
【００１４】
素材出力部１５は、素材データを出力する出力インタフェースである。ＣＰＵ１１は、要求受付部１３で受け付けられた素材データの送出要求に基づいて素材メモリ１７から該当する素材を読み出して素材出力部１５から出力する。音声チャンネル変換部１６は、ＣＰＵ１１の制御の下で、上記送出要求に基づいて素材メモリ１７から読み出された素材データに含まれる音声データを必要に応じて所定の音声チャンネルに変換する。音声チャンネル変換部１６は、例えば、ステレオ２ｃｈから５．１ｃｈへの音声チャンネルの変換、ステレオ２ｃｈからモノラル形式への音声チャンネルの変換等の処理を行う。
【００１５】
次に、このように構成されたビデオサーバ１０１の動作について説明する。図２は、ビデオサーバ１０１の素材送出動作の手順とその内容を示すフローチャートである。  
これに先立ち、上位制御装置は、ビデオサーバ１０１に素材データの収録要求を送信すると共に、収録対象の素材データをビデオサーバ１０１に供給するよう素材サーバに指示する。要求受付部１３は、ＣＰＵ１１制御の下で上記収録要求を受け付けると、素材データ入力部１２に到来する素材データを取り込んで素材メモリ１７に収録する。
【００１６】
ＣＰＵ１１は、上位制御装置から送られてくる素材データの送出要求を要求受付部１３により受け付けると、この要求で指定される素材データを素材メモリ１７から取り出す（ステップＳ２１）。音声チャンネル変換部１６は、ＣＰＵ１１の制御の下、上記取り出された素材データの付加情報記録領域から出力チャンネル情報を読み出す（ステップＳ２２）。本実施形態では、素材データに含まれる音声データはステレオ形式であり、出力チャンネル情報はこの素材データに含まれる音声データの出力時の音声チャンネルを５．１ｃｈと指定するものとする。
【００１７】
ＣＰＵ１１は素材データに含まれる音声データの音声チャンネルが出力チャンネル情報で指定される音声チャンネルと異なるか否かを判定する（ステップＳ２３）。この判定において素材データに含まれる音声データの音声チャンネルが出力チャンネル情報で指定される音声チャンネルと異なると判定された場合には、ＣＰＵ１１は音声チャンネル変換部１６により素材データに含まれる音声データを出力チャンネル情報で指定された音声チャンネル（５．１ｃｈ）に変換する（ステップＳ２４）。ＣＰＵ１１は、上記変換された音声データを送出要求のあった素材データの映像データと共に素材出力部１５により送出する（ステップＳ２５）。
【００１８】
なお、上記判定において素材データに含まれる音声データの音声チャンネルが出力チャンネル情報で指定される音声チャンネルと一致すると判定された場合には、音声チャンネルを変換する必要がないものと判断する。この場合、音声チャンネル変換部１６による変換処理は実施せずに、ＣＰＵ１１は、上記素材データに含まれる音声データを送出要求のあった素材データの映像データと共に素材出力部１５により送出する。
【００１９】
以上述べたように上記実施形態では、ビデオサーバ１０１のＣＰＵ１１は、要求受付部１３において素材データの送出要求を受け付けると、この要求で指定される素材データを素材メモリ１７から取り出す。音声チャンネル変換部１６は、ＣＰＵ１１の制御の下、上記取り出された素材データの付加情報記録領域から出力チャンネル情報を読み出して、素材データに含まれる音声データを出力チャンネル情報によって指定される音声チャンネルの音声データに変換する。ＣＰＵ１１は、音声チャンネルが変換された音声データを送出要求のあった素材データの映像データと共に素材出力部１５により送出する。
【００２０】
このように上記実施形態によれば、収録された素材データに含まれる音声データの音声チャンネルを送出時に任意の音声チャンネルに変更することが可能となる。これにより、元の素材データをそのままの状態でビデオサーバに収録すればよく、従来のように音声チャンネルを変更する度に音声チャンネルを変換した音声データを生成して収録しなおすような手間と時間が不要となる。
【００２１】
なお、この発明は上記実施形態に限定されるものではない。例えば、上記実施形態では、素材データの付加情報記録領域に含まれた出力チャンネル情報をもとに出力時の音声データの音声チャンネルを変換するようにしたが、この他にも次のような構成が考えられる。図３は、この発明のビデオサーバの変形例を示す機能ブロック図である。ビデオサーバ１０２は、上記図１に示したビデオサーバ１０１の構成に加えて、さらに出力チャンネル情報データベース１８を備える。出力チャンネル情報データベース１８には、素材メモリ１７に収録された素材データに含まれる音声データの出力チャンネル情報が素材データに対応付けてそれぞれ記憶される。
【００２２】
ビデオサーバ１０２のＣＰＵ１１は、素材データの送出要求を受けると、この要求により指定された素材データを素材メモリ１７から取り出すと共に、出力チャンネル情報データベース１８から当該素材データに対応付けられた出力チャンネル情報を読み出す。そして、ＣＰＵ１１は音声チャンネル変換部１６により、上記読み出された出力チャンネル情報に基づいて上記取り出された素材データに含まれる音声データの音声チャンネルを変換する。このように構成すると、素材データの付加情報記録領域に予め出力チャンネル情報が挿入されていない場合でも、収録された素材データに含まれる音声データの音声チャンネルを任意の音声チャンネルに変更して送出することが可能となる。
【００２３】
すなわち、この発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２４】
【図１】この発明に係るビデオサーバの一実施形態を示す機能ブロック図。
【図２】図１に示すビデオサーバの素材送出動作の手順とその内容を示すフローチャート。
【図３】この発明に係るビデオサーバの変形例を示す機能ブロック図。
【符号の説明】
【００２５】
１０１…ビデオサーバ、１２…素材データ入力部、１３…要求受付部、１４…素材収録部、１５…素材出力部、１６…音声チャンネル変換部、１７…素材メモリ、１０２…ビデオサーバ、１８…出力チャンネル情報データベース。
【図１】
2008199398.tif 000003
【図２】
2008199398.tif 000004
【図３】
2008199398.tif 000005